(57)【要約】【課題】ホワイトバランス及びコントラストの良好な投射像を得ることのできる反射型ライトバルブを用いた投射型表示装置を提供すること。【解決手段】光源２０１と、前記光源光を３色の光に色分解する色分解光学系と、各色光用に配置された３つの反射型ライトバルブと、前記色分解光学系からの前記３色の光をそれぞれ偏光分離して前記反射型ライトバルブに導き、前記反射型ライトバルブで変調された前記３色の光をそれぞれ検光するための偏光分離部を有する３つの偏光ビームスプリッタと、前記３つの偏光ビームスプリッタによって検光された前記３色の光を色合成する色合成光学系と、前記色合成光学系からの合成光を投射する投射レンズとを有し、前記３色の色光の少なくとも１つの色光の光路中に光量調節部材を配置したこと。【選択図】  図１
2004198999.tif 000002
【特許請求の範囲】
【請求項１】
光源と、
前記光源からの光を第１色光、第２色光、及び第３色光の３色の光に色分解する色分解光学系と、
前記３色の光にそれぞれ対応して配置された第１、第２、及び第３の反射型ライトバルブと、
前記色分解光学系からの前記３色の光をそれぞれ偏光分離して前記第１、第２、及び第３の反射型ライトバルブに導き、前記第１、第２、及び第３の反射型ライトバルブで変調された前記３色の光をそれぞれ検光するための偏光分離部を有する第１、第２、及び第３の偏光ビームスプリッタと、
前記第１、第２、及び第３の偏光ビームスプリッタによって検光された前記３色の光を色合成する色合成光学系と、
前記色合成光学系からの合成光を投射する投射レンズとを有し、
前記３色の色光の少なくとも１つの色光の光路中に光量調節部材を配置したことを特徴とする投射型表示装置。
【請求項２】
前記光量調節部材は、前記色光に対応して配置された偏光ビームスプリッタと前記色分解光学系の間の光路中に配置されていることを特徴とする請求項１に記載の投射型表示装置。
【請求項３】
前記光量調節部材は、入射偏光の状態を変化させる波長位相板と、偏光板とからなることを特徴とする請求項１又は２に記載の投射型表示装置。
【請求項４】
前記前記偏光板は、ワイヤグリッド金属偏光板又はサファイア基板に貼り付けられた偏光板であることを特徴とする請求項３に記載の投射型表示装置。
【請求項５】
前記光量調節部材は、複数の吸収型ＮＤフィルターからなることを特徴とする請求項１又は２に記載の投射型表示装置。
【発明の詳細な説明】
【０００１】
【発明の属する技術分野】
本発明は複数の反射型ライトバルブを使用した投射型表示装置に関するものである。
【０００２】
【従来の技術】
赤色光、緑色光、及び青色光（以後、本明細書中では、それぞれＲ光、Ｇ光、及びＢ光と記す）用にそれぞれライトバルブを配置して、各色光を全体としてのホワイトバランスを確保できるようにそれぞれ光量調整用のＮＤフィルターを経由して各色光用のライトバルブに入射させて各色信号に基づいて変調を行い、ライトバルブから射出した変調光を色合成して投射レンズで投射する構成の透過型の投射型表示装置が知られている（特許文献１参照。）。
【０００３】
特許文献１に開示された投射型表示装置では、各光源から射出されたＲ光、Ｇ光及びＢ光は各色光の光軸に対して垂直に配置された光量調節手段である透過光量を調節できる色光毎のＮＤフィルターに入射させてホワイトバランスを調節して各色光用に配置された透過型液晶ライトバルブにそれぞれ入射させ、各色光の色信号に基づいて変調させて変調光を射出させ、色合成光学系を構成するクロスダイクロイックプリズムに入射させてホワイトバランスの良好な光を色合成して射出し、投射レンズから投射する構成を有している。
【０００４】
【特許文献１】
特開平５−３１３１１４公報（図５参照）
【０００５】
【発明が解決しようとする課題】
しかし、反射型ライトバルブを使った投射型表示装置において、ＮＤフィルターのような光量調節部材を光路中に配置することによって、ホワイトバランスを良好に調整でき、かつ投射像のコントラストを良好にする投射型表示装置は提案されていなかった。
【０００６】
本発明は上述の問題に鑑みてなされたものであって、ホワイトバランス及びコントラストの良好な投射像を得ることのできる反射型ライトバルブを用いた投射型表示装置を提供することを目的としている。
【０００７】
【課題を解決するための手段】
上記目的を達成するために、本発明では、光源と、前記光源からの光を第１色光、第２色光、及び第３色光の３色の光に色分解する色分解光学系と、前記３色の光にそれぞれ対応して配置された第１、第２、及び第３の反射型ライトバルブと、前記色分解光学系からの前記３色の光をそれぞれ偏光分離して前記第１、第２、及び第３の反射型ライトバルブに導き、前記第１、第２、及び第３の反射型ライトバルブで変調された前記３色の光をそれぞれ検光するための偏光分離部を有する第１、第２、及び第３の偏光ビームスプリッタと、前記第１、第２、及び第３の偏光ビームスプリッタによって検光された前記３色の光を色合成する色合成光学系と、前記色合成光学系からの合成光を投射する投射レンズとを有し、前記３色の色光の少なくとも１つの色光の光路中に光量調節部材を配置したことを特徴とする投射型表示装置を提供する。
【０００８】
また、また、本発明の投射型表示装置では、前記光量調節部材は、前記色光に対応して配置された偏光ビームスプリッタと前記色分解光学系の間の光路中に配置されていることが好ましい。
【０００９】
また、本発明の投射型表示装置では、前記光量調節部材は、入射偏光の状態を変化させる波長位相板と、偏光板とから構成されていることが好ましい。
【００１０】
また、本発明の投射型表示装置では、前記前記偏光板は、ワイヤグリッド金属偏光板又はサファイア基板に貼り付けられた偏光板であることが好ましい
また、本発明の投射型表示装置では、前記光量調節部材は、複数の吸収型ＮＤフィルターからなることが好ましい。
【００１１】
【発明の実施の形態】
以下、本発明の実施の形態を図面を参照しつつ説明する。
【００１２】
図１は本発明の第１実施形態に係る投射型表示装置の概略構成図である。図２は本発明の第２実施形態に係る投射型表示装置の概略構成図であり、図３は第２実施形態における光量調節部材である１／２波長位相板と偏光板の配置を説明する斜視図である。図４は本発明の第３実施の形態に係る投射型表示装置の概略構成図である。
【００１３】
（第１実施形態）
図１は本発明の投射型表示装置の第１の実施形態を示す概略構成図である。図１において、互いに直交するＸ軸、Ｙ軸、及びＺ軸を定義する。なお、Ｙ軸は紙面に対して垂直な方向である。
【００１４】
図１において、ランプ１０１ａと放物面鏡等の凹面鏡１０１ｂとから構成される光源１０１から射出されるランダム偏光の光源光は偏光変換装置１０１ｃによって紙面に垂直なＹ軸方向に平行な振動方向を有する直線偏光に変換される。この偏光した光をＢ光（青色光）に対して透過特性を有し、Ｒ光（赤色光）とＧ光（緑色光）とに対して反射特性を有するダイクロイックミラー１０２に入射して、Ｂ光と、Ｇ光とＲ光の混合光とに色分解する。ダイクロイックミラー１０２で色分解された各色光のうちＢ光は、Ｂ光の光軸に対して直交して配置された光量調節部材であるＮＤフィルター１０９Ｂに入射し、透過光量を調節されて射出され偏光ビームスプリッタ１０４Ｂに入射される。
【００１５】
一方、ダイクロイックミラー１０２で色分解されたＲ光とＧ光の混合光は、Ｇ光を反射しＲ光を透過する特性を有するダイクロイックミラー１０３に入射し、反射されたＧ光と透過して進行するＲ光に色分解される。色分解されたＧ光はＸＺ平面に垂直に、かつＧ光光軸に対して直交して配置される光量調節部材であるＮＤフィルター１０９Ｇに入射し、透過光量を調節されて射出され偏光ビームスプリッタ１０４Ｇに入射する。また、色分解されたＲ光はＸＺ平面に垂直に、Ｒ光の光軸に対して直交して配置される光量調節部材であるＮＤフィルター１０９Ｒに入射し、透過光量を調節されて射出され偏光ビームスプリッタ１０４Ｒに入射する。なお、ダイクロイックミラー１０２とダイクロイックミラー１０３とで色分解光学系が構成されている。ＮＤフィルターによって各色光の光量を調整することによってホワイトバランスを良好にすることができる。
【００１６】
各偏光ビームスプリッタ１０４Ｂ、１０４Ｇ、及び１０４Ｒにそれぞれ入射されたホワイトバランスの取れた入射光はそれぞれの偏光分離部１０４Ｂ−Ｐ、１０４Ｇ−Ｐ、及び１０４Ｒ−Ｐを反射して進行して各偏光ビームスプリッタ１０４Ｂ、１０４Ｇ、及び１０４Ｒをそれぞれ射出して、各色光用に配置されたライトバルブ１０５Ｂ、１０５Ｇ、及び１０５Ｒにそれぞれ入射する。入射光は各色光用のライトバルブ１０５Ｂ、１０５Ｇ、及び１０５Ｒによってそれぞれ変調されて反射する。変調されることによって偏光方向が９０度回転（紙面に対してＸ軸もしくはＺ軸に平行な）した光がライトバルブから射出されて、再度各色光用の偏光ビームスプリッタ１０４Ｂ、１０４Ｇ、及び１０４Ｒにそれぞれ入射する。入射された変調光は偏光分離部１０４Ｂ−Ｐ、１０４Ｇ−Ｐ、及び１０４Ｒ−Ｐでそれぞれ検光されて検光光として取りだされ、Ｒ光とＧ光は色合成をおこなうダイクロイックミラー１０６に入射しＲ光は透過しＧ光は反射されてＲ光とＧ光の混合光となり射出される。射出された混合光はダイクロイックミラー１０７でＢ光と合成され色合成が達成され射出される。合成光は、投射レンズ１０８に入射して、図示しないスクリーン上にフルカラー投射像を投射する。このようにして反射型表示装置が構成されている。
【００１７】
このような配置を採用することによって、ホワイトバランスが良好で、コントラストの良好な投射像を投射することが可能となる
なお、本実施形態では、ホワイトバランスを取るためにＲ光、Ｇ光、及びＢ光の各色光の光路中に光量調整部材であるＮＤフィルターそれぞれ配置したが、色分解光学系の設計により必ずしも全ての色光にこれらを配置する必要はない。Ｒ光、Ｇ光、及びＢ光の３色の光のうち２色の光にＮＤフィルターを配置してもよいし、１色光のみに配置でも良い。どの色光にこれら部材を配置すべきかは、色分解光学系の設計、製造に依存して適宜決めれば良い。
【００１８】
（第２実施形態）
図２は本発明の投射型表示装置の第２の実施形態を示す概略構成図である。図２において、互いに直交するＸ軸、Ｙ軸、及びＺ軸を定義する。なお、Ｙ軸は紙面に対して垂直な方向である。
【００１９】
図２において、ランプ２０１ａと放物面鏡等の凹面鏡２０１ｂとから構成される光源２０１から射出されるランダム偏光の光源光は偏光変換装置２０２によって紙面に垂直なＹ軸方向に平行な振動方向を有する直線偏光に変換される。この偏光をＢ光（青色光）に対して反射特性を有するダイクロイックミラー２０３Ｂと、Ｒ光（赤色光）とＧ光（緑色光）とに対して反射特性を有するダイクロイックミラー２０３ＲＧとを互いに直交するように配置（Ｘ型）したクロスダイクロイックミラー２０３に入射して、Ｚ軸に平行でクロスダイクロイックミラー２０３の中心に対して互いに反対方向に進行するＢ光と、Ｇ光とＲ光の混合光とに色分解する。ダイクロイックミラー２０３で色分解された各色光のうちＢ光は折り曲げミラー２０４に入射して進行方向を変えて進行し、ＸＺ平面に垂直で、かつ光学軸をＹ軸に平行な方向に対して所定の角度傾けて配置された１／２波長位相板２１２Ｂと、Ｙ軸方向と平行な光学軸を有する偏光板２１３Ｂとから構成される光量調節部材により、透過光量を調節されて射出され偏光ビームスプリッタ２０８Ｂに入射される。
【００２０】
一方、クロスダイクロイックミラー２０３で色分解されたＲ光とＧ光の混合光は折り曲げミラー２０５に入射して進行方向を変えて進行し、Ｇ光を反射しＲ光を透過する特性を有するダイクロイックミラー２０６に入射し、反射されたＧ光と透過して進行するＲ光に色分解される。色分解されたＧ光はＸＺ平面に垂直で、かつ光学軸をＹ軸に平行な方向に対して所定の角度傾けて配置された１／２波長位相板２１２Ｇと、Ｙ軸方向と平行な光学軸を有する偏光板２１３Ｇとから構成される光量調節部材により、透過光量を調節されて射出され偏光ビームスプリッタ２０８Ｇに入射する。また、色分解されたＲ光はＸＺ平面に垂直で、かつ光学軸をＹ軸に平行な方向に対して所定の角度傾けて配置された１／２波長位相板２１２Ｒと、Ｙ軸方向と平行な光学軸を有する偏光板２１３Ｒとから構成される光量調節部材により、透過光量を調節されて射出され偏光ビームスプリッタ２０８Ｒに入射する。なお、クロスダイクロイックミラー２０３と折り曲げミラー２０４、及び２０５とダイクロイックミラー２０６とで色分解光学系が構成されている。
【００２１】
各偏光ビームスプリッタ２０８Ｂ、２０８Ｇ、及び２０８Ｒにそれぞれ入射されたホワイトバランスの取れた入射光はそれぞれの偏光分離部２０８Ｂ−Ｐ、２０８Ｇ−Ｐ、及び２０８Ｒ−Ｐを反射して進行して各偏光ビームスプリッタ２０８Ｂ、２０８Ｇ、及び２０８Ｒをそれぞれ射出して、各色光用に配置されたライトバルブ２０９Ｂ、２０９Ｇ、及び２０９Ｒにそれぞれ入射する。入射光は各色光用のライトバルブ２０９Ｂ、２０９Ｇ、及び２０９Ｒによってそれぞれ変調されて反射射出されて、再度各色光用の偏光ビームスプリッタ２０８Ｂ、２０８Ｇ、及び２０８Ｒにそれぞれ再度入射する。入射された変調光は偏光分離部２０８Ｂ−Ｐ、２０８Ｇ−Ｐ、及び２０８Ｒ−Ｐでそれぞれ検光されて検光光として取りだされ、色合成をおこなうクロスダイクロイックプリズム２１０にそれぞれ異なる入射面から入射する。クロイスダイクロイックプリズム２１０は内部にＲ光反射ダイクロイック膜２１０ＲとＢ光反射ダイクロイック膜２１０Ｂをそれぞれ直交して配置（Ｘ型）した複合プリズムであって、入射したＢ光はＢ光反射ダイクロイック膜２１０Ｂを反射し、入射したＲ光はＲ光反射ダイクロイック膜２１０Ｒを反射し、入射したＧ光は両ダイクロイック膜２１０Ｂ及び２１０Ｒを透過して色合成が達成される。合成光はクロスダイクロイックプリズム２１０を射出して、投射レンズ２１１に入射して、図示しないスクリーン上にフルカラー投射像を投射する。このようにして反射型表示装置が構成されている。
【００２２】
図３はＧ光の光軸に挿入された１／２波長位相板２１２Ｇと偏光板２１３Ｇとから構成される光量調節部材の分解斜視図を示している。Ｒ光とＢ光の光量調節部材も同様の構造を有しているので、ここではＧ光のみを説明しＲ光とＢ光については説明を省略する。
【００２３】
図３において、１／２波長位相板２１２Ｇに入射するＧ光の偏光の方向は、（Ａ）に示す位置ではＹ軸に平行な振動方向を有する直線偏光である。この振動方向に対して、１／２波長位相板２１２Ｇの光学軸Ｄ１の方向Θは、例えば２０度から３０度程度の所定の角度を有している。１／２波長位相板２１２Ｇに入射して射出した（Ｂ）の位置の光はＹ軸方向に対して２Θの角度の方向に振動方向を有する直線偏光となっている。この直線偏光は偏光板２１３Ｇによって所定の光量がＹ軸方向に振動方向を有する直線偏光として射出され、一部は偏光板２１３Ｇに吸収される。１／２波長位相板２１２Ｇと偏光板２１３Ｇの組合せによって、Ｇ光の光量が調整されホワイトバランスの取れた光量が透過射出され、（Ｃ）の位置では光量の調節された振動方向がＹ軸に平行な直線偏光となっている。この直線偏光は偏光ビームスプリッタ２０８Ｇに入射し、偏光分離部２０８Ｇ−Ｐで実質的に反射される方向の偏光なので、偏光分離部２０８Ｇ−Ｐで反射されて偏光ビームスプリッタ２０８Ｇを射出し、ライトバルブ２０９Ｇに入射する。ライトバルブ２０９Ｇに入射した光は変調を受けて反射射出されて、再び偏光ビームスプリッタ２０８Ｇに入射し、変調光は偏光分離部２０８Ｇ−Ｐを透過した透過光として取りだされる。ライトバルブ２０９Ｇで変調されなかった非変調光は偏光分離部２０８Ｇ−Ｐの反射光として分離される。
【００２４】
本第２実施形態では、上述の説明のように、偏光ビームスプリッタ２０８Ｇを通過して、ライトバルブ２０９Ｇに入射する偏光光の光量を偏光板２１３Ｇで不要の光量を吸収することによって調節している。高輝度の投射像を得るためには、１／２波長位相板２１２Ｇ、偏光板２１３Ｇに入射するＧ光の光量を増加しなければならず、偏光板２１３Ｇが光吸収による発熱によって性能劣化してしまう虞がある。性能劣化が危惧される程度の吸収が偏光板２１３Ｇによってなされることがある場合には、偏光板２１３Ｇとして通常の有機材料からなる偏光板ではなく、耐熱効果の大きいワイヤグリッド構成を有する金属偏光板や、熱発散効果が大であるサファイア基板に偏光板を貼り付けた構造の偏光板を使用することが望ましい。
【００２５】
また、Ｒ光用の１／２波長位相板２１２Ｒと偏光板２１３Ｒ、Ｇ光の用の１／２波長位相板２１２Ｇ、偏光板２１３Ｇも同様の関係の配置を用いる。ただし、ホワイトバランス確保のために各色光の光量を調節するのであるから、１／２波長位相板２１２Ｒ、２１２Ｇ及び２１２Ｂの光学軸のＹ軸に平行な方向に対する傾きはそれぞれの色光に応じて決定されることが必要である。
【００２６】
本第２実施形態では、１／２波長位相板と偏光板は、ライトバルブが黒状態である場合にライトバルブから反射して射出され、偏光ビームスプリッタの偏光分離部を反射して戻ってくる光が、偏光板及び１／２波長位相板で反射する反射光がゼロになるとはいえないが、反射光量は１／２波長位相板と偏光板を透過する光量に比較すると非常に少なく、反射光が再度偏光ビームスプリッタに戻って、ライトバルブに入射する光量もほとんど無視できる光量である。このため、１／２波長位相板と偏光板は各色光の光軸に対して垂直に配置する構成とすることができ、第１実施形態に比べさらにホワイトバランスが良好で、コントラストの良好な投射像を投射する投射型表示装置を提供することができる。
【００２７】
なお、本第２実施形態では、各色光用に配置した波長位相板は１／２波長位相板であるが、使用する波長位相板としては１／２波長位相板に限定されるわけではない。例えば、他の波長位相板を配置して、例えば楕円偏光に変換して偏光板に入射して光量を調節することも可能である。他の波長位相板として、例えば１／４波長位相板を使うことができる。
（第３実施形態）
次に、本発明の第３の実施形態に係る投射型表示装置に関して説明する。
【００２８】
図４は本発明の第３実施の形態に係る投射型表示装置の概略構成図である。本第３実施形態が第２実施形態と異なる点は、各色光にそれぞれ光量調節部材である複数の吸収型ＮＤフィルターを各色光の光路中に配置することにある。基本構成は第２実施形態と同様の構成を有しており、同様の構成部材には同じ符号を付し説明を省略する。
【００２９】
図４において、Ｒ光用の吸収型ＮＤフィルター２１４Ｒ及び２１５Ｒ、Ｇ光用の吸収型ＮＤフィルター２１４Ｇ及び２１５Ｇ、Ｂ光用の吸収型ＮＤフィルター２１４Ｂ及び２１５Ｂは、各色光用の偏光ビームスプリッタ２０８Ｒ、２０８Ｇ、及び２０８Ｂの色分解光学系側入射面に近接してＸＺ平面及び各色光の光軸に垂直に配置して投射型表示装置が構成されている。
【００３０】
本第３実施形態では、光量調節部材である複数の吸収型ＮＤフィルターを各色光の光路に配置している。この結果、全体として吸収する光量を各ＮＤフィルターに配分することができ、各ＮＤフィルターの発熱による性能の劣化を防止することができる。
【００３１】
また、各色光用のライトバルブ２０９Ｂ、２０９Ｇ、及び２０９Ｒが黒状態の時、それぞれのライトバルブ２０９Ｂ、２０９Ｇ、及び２０９Ｒを反射射出した光はほとんど偏光ビームスプリッタ２０８Ｂ、２０８Ｇ、及び２０８Ｒにそれぞれ入射し、偏光分離部２０８Ｂ−Ｐ、２０８Ｇ−Ｐ、及び２０８Ｒ−Ｐにそれぞれ入射し、各色光用の吸収型ＮＤフィルター２１４Ｂと２１５Ｂ、２１４Ｇと２１５Ｇ、及び２１４Ｒと２１５Ｒにそれぞれ入射する。ＮＤフィルター２１４Ｂと２１５Ｂ、２１４Ｇと２１５Ｇ、及び２１４Ｒと２１５Ｒは吸収型であるので大部分の光は吸収か透過されるので、ＮＤフィルター２１４Ｂと２１５Ｂ、２１４Ｇと２１５Ｇ、及び２１４Ｒと２１５Ｒでそれぞれ反射して逆行する光はほとんどない。この結果、偏光ビームスプリッタ２０８Ｂ、２０８Ｇ、及び２０８Ｒをへて各色光のライトバルブへ２０９Ｂ、２０９Ｇ、及び２０９Ｒにそれぞれ入射する光はほとんどなくすことができる。よって、投射光のコントラストを良好に保つことが可能となる。
【００３２】
ＮＤフィルター２１４Ｂと２１５Ｂ、２１４Ｇと２１５Ｇ、及び２１４Ｒと２１５Ｒにはそれぞれの入射光がライトバルブ２０９Ｂ、２０９Ｇ、及び２０９Ｒでそれぞれ反射されて逆行してそれぞれ入射されるので、ＮＤフィルター２１４Ｂと２１５Ｂ、２１４Ｇと２１５Ｇ、及び２１４Ｒと２１５Ｒの熱対策は、色分解して入射するそれぞれの色光のみでは不足であり、ライトバルブ２０９Ｂ、２０９Ｇ、及び２０９Ｒからのそれぞれの戻り光も考慮に入れて行う必要がある。本第３実施形態では、吸収ＮＤフィルターを複数枚用いた構成としている。
【００３３】
本第３実施形態では、少なくとも１つの色光において、偏光ビームスプリッタの色分解光学系側入射面の近傍の光路中に複数枚の吸収型ＮＤフィルターを配置することにより、第１実施形態に比べ高輝度で、ホワイトバランスが良好で、コントラストの良好な投射像を投射することが可能となる。
【００３４】
なお、本第３実施形態では、各色光にそれぞれ２枚の吸収型ＮＤフィルターを配置したが、枚数はそれ以上であってもよいことはいうまでもない。
【００３５】
さらに、本第３実施形態では、各色光にそれぞれ複数の吸収型ＮＤフィルターを配置したが、色分解光学系の設計及び製造によってはその配置は１つの色光のみの配置又は２つの色光に配置する構成としてもよい。
【００３６】
【発明の効果】
以上、説明したように、本発明によれば、ホワイトバランス及びコントラストの良好な投射像を得ることのできる反射型ライトバルブを用いた投射型表示装置を提供することが可能となる。
【図面の簡単な説明】
【図１】本発明の第１実施の形態に係る投射型表示装置の概略構成図である。
【図２】本発明の第２実施形態に係る投射型表示装置の概略構成図である。
【図３】第２実施形態における光量調節部材である１／２波長位相板と偏光板の配置を説明する斜視図である。
【図４】本発明の第３実施の形態に係る投射型表示装置の概略構成図である。
【符号の説明】
１０４Ｒ、１０４Ｇ、１０４Ｂ  偏光ビームスプリッタ
１０５Ｒ、１０５Ｇ、１０５Ｂ  反射型ライトバルブ
１０９Ｒ、１０９Ｇ、１０９Ｂ  ＮＤフィルター
１０１、２０１  光源
１０１ｃ、２０２  偏光変換装置
２０３  クロスダイクロイックミラー
２０４、２０５  光路折り曲げミラー
１０２、１０３、１０６、１０７、２０６  ダイクロイックミラー
２０７Ｒ、２０７Ｇ、２０７Ｂ  ＮＤフィルター
２０８Ｒ、２０８Ｇ、２０８Ｂ  偏光ビームスプリッタ
２０９Ｒ、２０９Ｇ、２０９Ｂ  反射型ライトバルブ
２１０  クロスダイクロイックプリズム
１０８、２１１  投射レンズ
２１２Ｒ、２１２Ｇ、２１２Ｂ  １／２波長位相板
２１３Ｒ、２１３Ｇ、２１３Ｂ  偏光板
２１４Ｒ、２１４Ｇ、２１４Ｂ、２１５Ｒ、２１５Ｇ、２１５Ｂ  吸収型ＮＤフィルター
【図１】
2004198999.tif 000003
【図２】
2004198999.tif 000004
【図３】
2004198999.tif 000005
【図４】
2004198999.tif 000006